(57)【特許請求の範囲】
【請求項１】
ケーブルどうしが中継コネクタによって接続されてなるケーブル中継部を収容する筒状の防水カバー本体と、
前記防水カバー本体の中に設けられ、防水カバー本体の内と外との間をシールするシール部材と、
前記防水カバー本体の両端部に螺着された締付キャップとを備え、
前記防水カバー本体は、ケーブルの長手方向とは直交する方向を挟持方向としてケーブル中継部を挟む第１および第２の半部を有し、
前記第１の半部の両端と、前記第２の半部の両端とには、外周に雄ねじが形成された円筒を径方向に２分割した形状の雄ねじ部がそれぞれ設けられ、
前記シール部材は、
前記ケーブルを前記挟持方向に出し入れ可能な筒状に形成されて前記防水カバー本体の両端部内にそれぞれ嵌合した第１のシール部と、前記防水カバー本体の一端部に位置する第１のシール部から他端部に位置する第１のシール部まで前記半部の合わせ面に沿って延びる第２のシール部とを有しているとともに、前記第１の半部側に位置する第１のシール部材半部と、前記第２の半部側に位置する第２のシール部材半部とに２分割され、
前記第１のシール部は、前記挟持方向に２分割形成された一対の半円筒状の第１のシール部本体を組み合わせることにより円筒状に形成されているとともに、前記雄ねじ部内に嵌合し、
前記第２のシール部は、前記挟持方向に２分割形成されて前記第１および第２のシール部材半部にそれぞれ設けられた第２のシール部本体を組み合わせることにより形成され、
前記第２のシール部本体は、前記第１および第２のシール部材半部の一側部と他側部とにおいてそれぞれ前記ケーブル中継部に向けて開放するコ字状に形成されているとともに、前記第１の半部と前記第２の半部との合わせ面に形成された凹溝に嵌合し、
前記第１のシール部本体と第２のシール部本体とは一体成形により一体に形成され、
前記第１および第２のシール部材半部の一側部に位置する前記第２のシール部本体には突条が形成され、前記第１および第２のシール部材半部の他側部に位置する前記第２のシール部本体には前記突条が押し付けられる合わせ面が形成され、
前記締付キャップは、前記ケーブルを前記挟持方向に出し入れ可能な構造のものであり、
前記締付キャップが前記防水カバー本体の両端部の前記雄ねじ部に螺着されて前記第１の半部と前記第２の半部とが互いに結合されることにより、前記第１のシール部が前記防水カバー本体の両端部と前記ケーブルとの間をシールするとともに、前記突条が圧縮されて前記第２のシール部が前記防水カバー本体の両端部間において前記第１の半部と前記第２の半部との間をシールすることを特徴とする中継コネクタ用防水カバー。
【請求項２】
ケーブルどうしが中継コネクタによって接続されてなるケーブル中継部を収容する筒状の防水カバー本体と、
前記防水カバー本体の中に設けられ、防水カバー本体の内と外との間をシールするシール部材と、
前記防水カバー本体の両端部に螺着された締付キャップとを備え、
前記防水カバー本体は、ケーブルの長手方向とは直交する方向を挟持方向としてケーブル中継部を挟む第１および第２の半部を有し、
前記第１の半部の両端と、前記第２の半部の両端とには、外周に雄ねじが形成された円筒を径方向に２分割した形状の雄ねじ部がそれぞれ設けられ、
前記シール部材は、
前記ケーブルを前記挟持方向に出し入れ可能な筒状に形成されて前記防水カバー本体の両端部内にそれぞれ嵌合した第１のシール部と、前記防水カバー本体の一端部に位置する第１のシール部から他端部に位置する第１のシール部まで前記半部の合わせ面に沿って延びる第２のシール部とを有し、
前記第１のシール部は、前記第２のシール部とは別体に形成されているとともに、前記ケーブルが通されるスリットを有する円筒体によって形成されて前記雄ねじ部内に嵌合し、
前記第２のシール部は、前記挟持方向に２分割形成されて前記第１および第２の半部にそれぞれ装着された第２のシール部本体および連結片によって形成され、
前記第２のシール部本体は、前記第２のシール部の一側部と他側部とにおいてそれぞれ前記ケーブル中継部に向けて開放するコ字状に形成されているとともに、前記第１および第２の半部の一側部の合わせ面と他側部の合わせ面とにそれぞれ形成された凹溝に嵌合し、
前記連結片は、前記第１のシール部に沿って延びて前記第２のシール部本体の両端部どうしを互いに連結し、
前記第１および第２の半部の一側部に位置する前記第２のシール部本体には突条が形成され、前記第１および第２の半部の他側部に位置する前記第２のシール部本体には前記突条が押し付けられる合わせ面が形成され、
前記締付キャップは、前記ケーブルを前記挟持方向に出し入れ可能な構造のものであり、
前記締付キャップが前記防水カバー本体の両端部の前記雄ねじ部に螺着されて前記第１の半部と前記第２の半部とが互いに結合されることにより、前記第１のシール部が前記防水カバー本体の両端部と前記ケーブルとの間をシールするとともに、前記連結片に押し付けられてこれら両者の間をシールし、かつ前記突条が圧縮されて前記第２のシール部が前記防水カバー本体の両端部間において前記第１の半部と前記第２の半部との間をシールすることを特徴とする中継コネクタ用防水カバー。
【請求項３】
請求項１または請求項２に記載の中継コネクタ用防水カバーにおいて、前記防水カバー本体の第１の半部および第２の半部は、これらの半部どうしを互いに結合された状態に保持する結合機能を有し、
前記結合機能は、
前記第１の半部と前記第２の半部とのうち一方の半部の合わせ面に形成された突起と、
他方の半部の合わせ面に形成され、前記突起が嵌合する凹部とによって実現されていることを特徴とする中継コネクタ用防水カバー。
【請求項４】
請求項１または請求項２に記載の中継コネクタ用防水カバーにおいて、前記防水カバー本体の第１の半部および第２の半部は、これらの半部どうしを互いに結合された状態に保持する結合機能を有し、
前記結合機能は、
前記第１の半部と前記第２の半部とのうち一方の半部に前記ケーブルの長手方向を軸線方向として回動自在に支持され、回動端部に爪が設けられた可動式の掛止片と、
他方の半部に形成され、前記掛止片の爪が掛止される突条とによって実現されていることを特徴とする中継コネクタ用防水カバー。
【発明の詳細な説明】
【技術分野】
【０００１】
本発明は、ケーブルどうしを接続する中継コネクタの防水および防塵を図るための中継コネクタ用防水カバーに関するものである。
【背景技術】
【０００２】
屋外や切削加工工場内の油環境、食品製造工場内の多湿環境などで電力ケーブルあるいはセンサー用ケーブルなどを中継するにあたっては、中継接続部に、高い防水性能・防塵性能・防油性能などが必要である。中継接続部は、中継コネクタによって構成されている。
【０００３】
中継コネクタを要防塵・要防水環境で使用する従来の方法として、以下の方法が挙げられる。
（１）防水性能を有したコネクタを使用する。
（２）防水性能を有していないコネクタを筒体からなるカバー本体の中に挿入するとともに、カバー本体の両端部に螺着させた締付キャップでケーブルをクランプする。このクランプ部は、ケーブルが通されたゴムブッシュを弾性変形させて防塵、防水効果を得る構造である。
（３）特許文献１に記載されている防塵・防滴用カバーで覆う。このカバーは、中継コネクタを一方から覆う半部と、他方から覆う半部とを有している。これらの半部は、一側部において互いに接続され、他側部において係止構造によって着脱可能に結合される。
【先行技術文献】
【特許文献】
【０００４】
【特許文献１】特開２０１２−２８０７２号公報
【発明の概要】
【発明が解決しようとする課題】
【０００５】
上述した方法（１）を実施する場合に用いる防水性能を有したコネクタは、高価であり、種類も限定され使用極数の自由度も少ない。
方法（２）の場合は、コネクタ接続前にコネクタおよびケーブルをカバー本体と締付キャップに通しておかなければならならず、作業性が悪い。また、この場合、ケーブルクランプ構造を構成する部品（締付キャップ、ゴムブッシュ）は、コネクタを通過させる必要があるため、クランプするケーブルの外径に対応して大きくなる。
【０００６】
方法（３）の場合は、ケーブルクランプ構造を有していないから、ケーブルが強く引かれるとコネクタおよび端子部に引っ張り応力が生じ、接触不良を起こすおそれがある。また、コネクタを一対のカバー半部で挟む単純な構造であるため、保護等級ＩＰ６７のような高度な防水・防塵性能を実現することは困難である。
【０００７】
本発明はこのような問題を解消するためになされたもので、コネクタ接続後の施工を可能にし、かつ施工後にケーブルが強固に保持されるとともに高い防水・防塵性能が得られる中継コネクタ用防水カバーを提供することを目的とする。
【課題を解決するための手段】
【０００８】
この目的を達成するために、本発明に係る中継コネクタ用防水カバーは、ケーブルどうしが中継コネクタによって接続されてなるケーブル中継部を収容する筒状の防水カバー本体と、前記防水カバー本体の中に設けられ、防水カバー本体の内と外との間をシールするシール部材と、前記防水カバー本体の両端部に螺着された締付キャップとを備え、前記防水カバー本体は、ケーブルの長手方向とは直交する方向を挟持方向としてケーブル中継部を挟む第１および第２の半部を有し、前記第１の半部の両端と、前記第２の半部の両端とには、外周に雄ねじが形成された円筒を径方向に２分割した形状の雄ねじ部がそれぞれ設けられ、前記シール部材は、前記ケーブルを前記挟持方向に出し入れ可能な筒状に形成されて前記防水カバー本体の両端部内にそれぞれ嵌合した第１のシール部と、前記防水カバー本体の一端部に位置する第１のシール部から他端部に位置する第１のシール部まで前記半部の合わせ面に沿って延びる第２のシール部とを有しているとともに、前記第１の半部側に位置する第１のシール部材半部と、前記第２の半部側に位置する第２のシール部材半部とに２分割され、前記第１のシール部は、前記挟持方向に２分割形成された一対の半円筒状の第１のシール部本体を組み合わせることにより円筒状に形成されているとともに、前記雄ねじ部内に嵌合し、前記第２のシール部は、前記挟持方向に２分割形成されて前記第１および第２のシール部材半部にそれぞれ設けられた第２のシール部本体を組み合わせることにより形成され、前記第２のシール部本体は、前記第１および第２のシール部材半部の一側部と他側部とにおいてそれぞれ前記ケーブル中継部に向けて開放するコ字状に形成されているとともに、前記第１の半部と前記第２の半部との合わせ面に形成された凹溝に嵌合し、前記第１のシール部本体と第２のシール部本体とは一体成形により一体に形成され、前記第１および第２のシール部材半部の一側部に位置する前記第２のシール部本体には突条が形成され、前記第１および第２のシール部材半部の他側部に位置する前記第２のシール部本体には前記突条が押し付けられる合わせ面が形成され、前記締付キャップは、前記ケーブルを前記挟持方向に出し入れ可能な構造のものであり、前記締付キャップが前記防水カバー本体の両端部の前記雄ねじ部に螺着されて前記第１の半部と前記第２の半部とが互いに結合されることにより、前記第１のシール部が前記防水カバー本体の両端部と前記ケーブルとの間をシールするとともに、前記突条が圧縮されて前記第２のシール部が前記防水カバー本体の両端部間において前記第１の半部と前記第２の半部との間をシールするものである。
【０００９】
また、本発明に係る中継コネクタ用防水カバーは、ケーブルどうしが中継コネクタによって接続されてなるケーブル中継部を収容する筒状の防水カバー本体と、前記防水カバー本体の中に設けられ、防水カバー本体の内と外との間をシールするシール部材と、前記防水カバー本体の両端部に螺着された締付キャップとを備え、前記防水カバー本体は、ケーブルの長手方向とは直交する方向を挟持方向としてケーブル中継部を挟む第１および第２の半部を有し、前記第１の半部の両端と、前記第２の半部の両端とには、外周に雄ねじが形成された円筒を径方向に２分割した形状の雄ねじ部がそれぞれ設けられ、前記シール部材は、前記ケーブルを前記挟持方向に出し入れ可能な筒状に形成されて前記防水カバー本体の両端部内にそれぞれ嵌合した第１のシール部と、前記防水カバー本体の一端部に位置する第１のシール部から他端部に位置する第１のシール部まで前記半部の合わせ面に沿って延びる第２のシール部とを有し、前記第１のシール部は、前記第２のシール部とは別体に形成されているとともに、前記ケーブルが通されるスリットを有する円筒体によって形成されて前記雄ねじ部内に嵌合し、前記第２のシール部は、前記挟持方向に２分割形成されて前記第１および第２の半部にそれぞれ装着された第２のシール部本体および連結片によって形成され、前記第２のシール部本体は、前記第２のシール部の一側部と他側部とにおいてそれぞれ前記ケーブル中継部に向けて開放するコ字状に形成されているとともに、前記第１および第２の半部の一側部の合わせ面と他側部の合わせ面とにそれぞれ形成された凹溝に嵌合し、前記連結片は、前記第１のシール部に沿って延びて前記第２のシール部本体の両端部どうしを互いに連結し、前記第１および第２の半部の一側部に位置する前記第２のシール部本体には突条が形成され、前記第１および第２の半部の他側部に位置する前記第２のシール部本体には前記突条が押し付けられる合わせ面が形成され、前記締付キャップは、前記ケーブルを前記挟持方向に出し入れ可能な構造のものであり、前記締付キャップが前記防水カバー本体の両端部の前記雄ねじ部に螺着されて前記第１の半部と前記第２の半部とが互いに結合されることにより、前記第１のシール部が前記防水カバー本体の両端部と前記ケーブルとの間をシールするとともに、前記連結片に押し付けられてこれら両者の間をシールし、かつ前記突条が圧縮されて前記第２のシール部が前記防水カバー本体の両端部間において前記第１の半部と前記第２の半部との間をシールするものである。
【００１０】
本発明は、前記発明において、前記防水カバー本体の第１の半部および第２の半部は、これらの半部どうしを互いに結合された状態に保持する結合機能を有し、前記結合機能は、前記第１の半部と前記第２の半部とのうち一方の半部の合わせ面に形成された突起と、他方の半部の合わせ面に形成され、前記突起が嵌合する凹部とによって実現されていることを特徴とする。
【００１１】
本発明は、前記発明において、前記防水カバー本体の第１の半部および第２の半部は、これらの半部どうしを互いに結合された状態に保持する結合機能を有し、
前記結合機能は、
前記第１の半部と前記第２の半部とのうち一方の半部に前記ケーブルの長手方向を軸線方向として回動自在に支持され、回動端部に爪が設けられた可動式の掛止片と、
他方の半部に形成され、前記掛止片の爪が掛止される突条とによって実現されていることを特徴とする。
【発明の効果】
【００１５】
本発明に係る防水カバー本体と、シール部材と、締付キャップとは、それぞれケーブルの長手方向とは直交する方向からケーブル中継部に対して着脱させることができるものである。このため、この中継コネクタ用防水カバーは、ケーブルに接続されている中継コネクタであっても使用できるものとなる。
【００１６】
また、締付キャップを防水カバー本体の両端部に螺着させることによって、シール部材の第１のシール部を介して防水カバー本体でケーブルをクランプすることができる。このため、ケーブルが防水カバー本体に強固に保持される。
さらに、締付キャップを防水カバー本体の両端部に螺着させることによって、シール部材の第１のシール部と第２のシール部とが防水カバー本体の半部どうしによって挟まれてシール機能が実現される。
【００１７】
したがって、本発明によれば、コネクタ接続後の施工を可能にし、かつ施工後にケーブルが強固に保持されるとともに高い防水・防塵性能が得られる中継コネクタ用防水カバーを提供することができる。
【図面の簡単な説明】
【００１８】
【図１】本発明に係る中継コネクタ用防水カバーの断面図である。
【図２】本発明に係る中継コネクタ用防水カバーの分解斜視図である。
【図３】防水カバー本体およびシール部材の半部を示す斜視図である。
【図４】シール部材の変形例を示す斜視図である。
【図５】防水カバー本体の半部の変形例を示す斜視図である。
【図６】防水カバー本体の半部の変形例を示す斜視図で、図６（Ａ）は結合前の状態を示し、図６（Ｂ）は結合後の状態を示す。
【図７】締付キャップを示す図で、図７（Ａ）は、斜め前側から見た分解斜視図、図７（Ｂ）は、斜め後ろ側から見た分解斜視図、図７（Ｃ）は、組立状態を示す斜視図である。
【図８】組立手順を示す斜視図で、図８（Ａ）は防水カバー本体の第１の半部に第２の半部を対向させた状態を示し、図８（Ｂ）は外側キャップ本体の中に内側キャップ本体を嵌合させる過程を示し、図８（Ｃ）は完成状態を示す斜視図である。
【図９】防水カバー本体の他の実施の形態を示す斜視図で、図９（Ａ）は分解斜視図、図９（Ｂ）は組立状態を示す斜視図である。
【図１０】防水カバー本体の他の実施の形態を示す斜視図で、図１０（Ａ）は開いた状態を示し、図１０（Ｂ）は組み合わせた状態を示す。
【図１１】緊縛用リングを用いる防水カバー本体の他の実施の形態を示す斜視図である。
【図１２】緊縛用リングの斜視図である。
【図１３】環状突起を有するシール部材を使用した中継コネクタ用防水カバーの一部を示す斜視図である。
【図１４】環状突起を有するシール部材の平面図である。
【図１５】環状突起を有するシール部材を使用した中継コネクタ用防水カバーの断面図である。図１５（Ａ）は、締付キャップを締め付けていない状態を示し、図１５（Ｂ）は、締付キャップを締め付けた状態を示す。
【発明を実施するための形態】
【００１９】
（第１の実施の形態）
以下、本発明に係る中継コネクタ用防水カバーの一実施の形態を図１〜図８によって詳細に説明する。
図１に示す中継コネクタ用防水カバー１は、ケーブル中継部２の防水、防塵を図るためのものである。ここでいうケーブル中継部２とは、図１中に左側に位置する第１のケーブル３と、右側に位置する第２のケーブル４とが中継コネクタ５によって接続されている部分である。
【００２０】
この中継コネクタ用防水カバー１は、中継コネクタ５および第１、第２のケーブル３，４の先端部を収容する筒状の防水カバー本体６と、この防水カバー本体６の中に設けられたシール部材７と、防水カバー本体６の両端部に螺着された締付キャップ８などによって構成されている。
防水カバー本体６は、図２に示すように、第１、第２のケーブル３，４の長手方向とは直交する方向を挟持方向としてケーブル中継部２を挟む２つの半部（第１の半部１１と第２の半部１２）を有している。この実施の形態による第１の半部１１と第２の半部１２は、第１、第２のケーブル３，４の長手方向とは直交する方向に分割可能に形成されている。以下においては、第１、第２のケーブル３，４の長手方向とは直交する方向を単に分割方向という。
第１の半部１１に第２の半部１２が組み合わせられることによって、ケーブル中継部２を挿通可能な筒状のカバー本体６が形成される。この実施の形態によるカバー本体６の形状は、円筒状である。第１の半部１１と第２の半部１２は、それぞれプラスチック材料または金属によって所定の形状に成形されている。
【００２１】
第１の半部１１と第２の半部１２は、それぞれ３つの機能部を有している。
第１の機能部は、第１の半部１１と第２の半部１２の長手方向の中央部に中継コネクタ５を収容するスペースを形成するための半円筒部１３である。この半円筒部１３は、円筒を径方向に２分割したような形状に形成されている。第１の半部１１の半円筒部１３と第２の半部１２の半円筒部１３とにおける互いに対向する合わせ面１４には、後述するシール部材７の第２のシール部１５が挿入される凹溝１６が形成されている。この凹溝１６は、半円筒部１３の一端から他端まで延びている。
半円筒部１３の外周面における長手方向の両端部分には、工具（図示せず）を係合させるための係合面１７が形成されている。
【００２２】
第２の機能部は、半円筒部１３の両端から突出する雄ねじ部１８である。この雄ねじ部１８は、外周部に雄ねじ１８ａが形成された円筒を径方向に２分割したような形状に形成されている。すなわち、雄ねじ部１８は、雄ねじ１８ａと、内周面１８ｂと、合わせ面１８ｃとを有する半円筒状に形成されている。雄ねじ部１８の合わせ面１８ｃは、半円筒部１３の合わせ面１４と同一平面上に位置している。
【００２３】
第１の半部１１に設けられている雄ねじ部１８の合わせ面１８ｃには、図３に示すように、第１の半部１１の雄ねじ１８ａと第２の半部１２の雄ねじ１８ａとを正確に合わせるために突条１９が形成されている。この突条１９は、雄ねじ部１８の軸線方向（第１、第２のケーブル３，４の長手方向）に延びている。この突条１９は、第２の半部１２の雄ねじ部１８の合わせ面１８ｃに形成された凹溝２０に嵌合する。
【００２４】
第３の機能部は、雄ねじ部１８から防水カバー本体６の先端側に突出する複数の押圧片２１によって構成されている。
これらの押圧片２１は、後述する締付キャップ８と協働して後述するシール部材７の第１のシール部２２を径方向の内側と防水カバー本体６の他端側へ押すためのものである。この実施の形態による押圧片２１は、雄ねじ部１８の先端部分に一体成形によって一体に形成されている。
【００２５】
これらの押圧片２１は、それぞれ細い帯板状に形成されており、図１に示すように、雄ねじ部１８から後述する第１のシール部２２と締付キャップ８との間に位置するように防水カバー本体６の長手方向に突出している。また、これらの複数の押圧片２１は、雄ねじ部１８の周方向に所定の間隔をおいて並べられている。各押圧片２１の先端部は、基部と較べて厚みが厚くなるように形成されている。
【００２６】
シール部材７は、防水カバー本体６の内と外との間をシールするためのもので、ゴムまたはエラストマーによって所定の形状に形成されている。
この実施の形態によるシール部材７は、図２に示すように、第１の半部１１側に位置する第１のシール部材半部２３と、第２の半部１２側に位置する第２のシール部材半部２４とに２分割されている。
【００２７】
この実施の形態においては、１種類のシール部材半部を２個製造し、一方を第１のシール部材半部２３として第１の半部１１に装着して使用し、他方を第２のシール部材半部２４として第２の半部１２に装着して使用している。
第１のシール部材半部２３と第２のシール部材半部２４とを組み合わせてなるシール部材７は、防水カバー本体６の長手方向の両端部に嵌合される第１のシール部２２と、これらの第１のシール部２２どうしの間に位置する第２のシール部１５とによって構成されている。
【００２８】
第１のシール部２２は、一対の半円筒状の第１のシール部本体２５，２５を組み合わせることにより円筒状に形成されている。この円筒状の第１のシール部２２の内径は、第１、第２のケーブル３，４が嵌合する径である。また、この第１のシール部２２の外径は、雄ねじ部１８の内周面１８ｂに嵌合する径である。すなわち、第１のシール部２２は、第１、第２のケーブル３，４を上述した分割方向に出し入れ可能な筒状に形成されて防水カバー本体６の両端部（雄ねじ部１８）内にそれぞれ嵌合するものである。
【００２９】
第２のシール部１５は、第１のシール部材半部２３に設けられている２本の第２のシール部本体２６，２７と、第２のシール部材半部２４に設けられている２本の第２のシール部本体２８，２９とによって構成されている。第１のシール部材半部２３と第２のシール部材半部２４とを組み合わせてシール部材７が形成される状態においては、第１のシール部材半部２３の一側部に位置する第２のシール部本体２６が第２のシール部材半部２４の一側部に位置する第２のシール部本体２８に重ねられる。また、第１のシール部材半部２３の他側部に位置する第２のシール部本体２７が第２のシール部材半部２４の他側部に位置する第２のシール部本体２９に重ねられる。
すなわち、第２のシール部は、上述した分割方向に２分割形成された第２のシール部本体２６〜２９を組み合わせることにより形成されている。
【００３０】
第１のシール部材半部２３の２本の第２のシール部本体２６，２７は、第１のシール部材半部２３の両端に位置する第１のシール部本体２５，２５と一体成形により一体に形成されている。
第２のシール部材半部２４の２本の第２のシール部本体２８，２９は、第２のシール部材半部２４の両端に位置する第１のシール部本体２５，２５と一体成形により一体に形成されている。
【００３１】
これらの第２のシール部本体２６〜２９は、図３に示すように、上述した半部１１，１２の凹溝１６に嵌合する形状に形成されている。すなわち、第２のシール部１５は、防水カバー本体６の一端部に位置する第１のシール部２２から他端部に位置する第１のシール部２２まで半部１１，１２の合わせ面１４に沿って延びている。４本の第２のシール部本体２６〜２９のうち、第１のシール部材半部２３の一側部に位置する第２のシール部本体２６と、第２のシール部材半部２４の一側部に位置する第２のシール部本体２９とには、他方のシール部材半部に向けて突出する突条３０が形成されている。
【００３２】
このため、第１のシール部材半部２３と第２のシール部材半部２４とが互いに組み合わせられることによって、第２のシール部本体２６，２９と対向する第２のシール部本体２７，２８の平坦な合わせ面２７ａ，２８ａに突条３０が相対的に高い面圧で押し付けられる。この突条３０は、長手方向の一方に位置する第１のシール部本体２５から、他方に位置する第１のシール部本体２５まで延びている。
【００３３】
なお、第１のシール部２２は、図４に示すように、１つの円筒体によって形成することができる。この第１のシール部２２は、第２のシール部１５とは別体に形成されている。
図４に示す第１のシール部２２は、二つの第１のシール部本体２５に分割されてはおらず、１個の円筒体によって構成されている。この第１のシール部２２を形成する材料は、第１のシール部２２と第２のシール部１５とが一体に形成されているシール部材７と同じものを用いることができる。
また、この第１のシール部２２は、第１、第２のケーブル３，４を長手方向とは直交する方向に出し入れできるように、第１、第２のケーブル３，４を通すためのスリット３１が形成されている。
【００３４】
この第１のシール部２２に対して第１、第２のケーブル３，４を出し入れするためには、スリット３１の幅が拡がる方向に第１のシール部２２を弾性変形させ、スリット３１内に第１、第２のケーブル３，４を通して行うことができる。
円筒体からなる第１のシール部２２は、第１、第２のケーブル３，４の外径に適合するものが使用される。第１、第２のケーブル３，４の外径が図１に示す第１、第２のケーブル３，４の外径より大きい場合は、図４中に二点鎖線で示すように内径が相対的に大きく形成された第１のシール部２２が用いられる。
【００３５】
円筒体からなる第１のシール部２２を使用する場合の第２のシール部本体２６〜２９は、図４に示すように、第１のシール部２２に沿って延びる連結片３２が一体に形成されている。詳述すると、第１の半部１１に装着される第２のシール部本体２６，２７の両端部は、連結片３２によって互いに連結されている。第２の半部１２に装着される第２のシール部本体２８，２９の両端部は、連結片３２によって互いに連結されている。連結片３２は、第１のシール部２２の軸方向の一端面に接触するように、雄ねじ部１８の内周面１８ａ，１８ｂに沿って延びている。
【００３６】
円筒体からなる第１のシール部２２は、二つの半部１１，１２のうちいずれか一方の半部に第２のシール部本体２６〜２９とともに装着される。防水カバー本体６を形成するためには、この一方の半部に、予め第２のシール部本体と連結片３２とが装着された他方の半部を重ねて行われる。このとき、第１のシール部２２は、他方の半部の雄ねじ部１８内に嵌合させられる。
一方の半部と他方の半部は、長手方向の両端部に位置する雄ねじ部１８に後述する締付キャップ８がねじ込まれることにより、互いに離れることができないように結合される。締付キャップ８を雄ねじ部１８にねじ込むときには、一方の半部から他方の半部が外れることがない状態に保つ必要がある。
【００３７】
一方の半部と他方の半部とを結合した状態に保つためには、例えば図５または図６（Ａ），（Ｂ)に示す構成を採ることが考えられる。
図５に示す防水カバー本体６の一方の半部（図５において下側に位置する第１の半部１１）の合わせ面１４には、分割方向に突出する複数の突起４１が形成されている。他方の半部の合わせ面１４には、突起４１が嵌合する凹部４２が形成されている。突起４１は、凹部４２に嵌合した状態から容易に外れることができないように、凹部４２との嵌合部分に予め定めた大きさの摩擦抵抗が生じる形状に形成されている。
【００３８】
図６（Ａ）に示す第１の半部１１には、可動式の掛止片４３が設けられている。この掛止片４３は、第１、第２のケーブル３，４の長手方向に細長い形状に形成されており、第１の半部１１にケーブルの長手方向を軸線方向として回動自在に支持されている。この掛止片４３は、その回動端部が第１の半部１１から離れる解放位置｛図６（Ａ）参照｝と、回動端部が第１の半部１１に近接する掛止位置｛図６（Ｂ）参照｝との間で回動できる。この掛止片４３の回動端部には、爪４４が設けられている。この爪４４は、掛止片４３の長手方向の一端部から他端部まで延びている。
【００３９】
第２の半部１２には、上述した掛止片４３が掛止位置に位置する状態で爪４４が掛止される突条４５が形成されている。
防水カバー本体６の一対の第１の半部１１と第２の半部１２は、図５または図６（Ａ），（Ｂ)に示す構成を採ることにより、これらの半部どうしを互いに結合された状態に保持する結合機能をもつことになる。
【００４０】
締付キャップ８は、図７（Ａ）〜（Ｂ）に示すように、二つの部材を組み合わせて形成されている。二つの部材とは、図７（Ａ）において左側に位置する外側キャップ本体５１と、この外側キャップ本体５１の内部に嵌合する内側キャップ本体５２である。
外側キャップ本体５１と内側キャップ本体５２は、切り欠き５３，５４を有する断面Ｃ字状に形成されている。切り欠き５３，５４の開口幅は、第１、第２のケーブル３，４を挿通可能な幅である。この実施の形態による外側キャップ本体５１と内側キャップ本体５２は、それぞれプラスチック材料または金属によって形成されている。
【００４１】
外側キャップ本体５１の内周部は、内側キャップ本体５２の外周部が嵌合できるように形成されている。この内周部には、図７（Ｂ）に示すように、第１、第２のケーブル３，４の長手方向に延びる複数の凹溝５５が周方向に所定間隔をおいて並ぶ状態で形成されている。また、外側キャップ本体５１には、内側キャップ本体５２の切り欠き５４に嵌合する第１の凸部５６が形成されている。
【００４２】
第１の凸部５６は、外側キャップ本体５１の切り欠き５３とは締付キャップ８の軸心を挟んで反対側に配置されている。すなわち、外側キャップ本体５１の切り欠き５３と、内側キャップ本体５２の切り欠き５４とは、締付キャップ８の回転方向において互いに異なる位置に位置付けられている。
第１の凸部５６には、図７（Ｃ）に示すように、後述する内側キャップ本体５２の雌ねじ部５７に接続される雌ねじ部５８が形成されている。この実施の形態においては、外側キャップ本体５１の切り欠き５３の両側にも雌ねじ部５８が形成されている。
【００４３】
内側キャップ本体５２の外周部には、外側キャップ本体５１の凹溝５５に嵌合する複数の突条６１が設けられている。また、内側キャップ本体５２の外周部には、外側キャップ本体５１の切り欠き５３に嵌合する第２の凸部６２が形成されている。すなわち、内側キャップ本体５２は、外側キャップ本体５１の内部に外側キャップ本体５１に対して回転することがないように嵌合される。第２の凸部６２の両側には、開口６３が形成されている。この開口６３には、外側キャップ本体５１の切り欠き５３の両側に位置する雌ねじ部５８が挿入される。
【００４４】
内側キャップ本体５２の内周部には、防水カバー本体６の雄ねじ部１８に螺合する雌ねじ部５７が形成されている。この実施の形態による締付キャップ８の雌ねじ部５７は、この雌ねじ部５７と、第１の凸部５６の雌ねじ部５８および切り欠き５３の両側に位置する雌ねじ部５８とによって構成されている。
【００４５】
外側キャップ本体５１に内側キャップ本体５２を組み付けてなる締付キャップ８の内周部であって、防水カバー本体６とは反対側に位置する先端部分には、図１に示すように、テーパ面６４が形成されている。このテーパ面６４は、締付キャップ８の先端から後端（防水カバー本体６の半円筒部１３に近接する方向の一端）に向かうにしたがって次第に内径が大きくなるように形成されている。また、このテーパ面６４は、複数の押圧片２１の先端部に径方向の外側から接触するように形成されている。すなわち、締付キャップ８が防水カバー本体６の雄ねじ部１８に締め込まれることによって、テーパ面６４が押圧片２１を径方向の中央に向けて押圧する。
【００４６】
次に、この実施の形態による中継コネクタ用防水カバー１を中継コネクタ５に装着する手順を図８（Ａ）〜（Ｃ）によって説明する。ここでは防水カバー本体６として図６（Ａ），（Ｂ）に示した掛止片４３を有するものを用い、シール部材７として円柱体からなる第１のシール部２２を有するものを用いて説明する。
【００４７】
先ず、図８（Ａ）に示すように、防水カバー本体６の第１の半部１１にシール部材７の第２のシール部本体２６，２７と連結片３２とを装着し、この第１の半部１１内にケーブル中継部２を挿入する。次に、第１のケーブル３と第２のケーブル４とを円筒体からなる第１のシール部２２に嵌め込み、この第１のシール部２２を第１の半部１１の雄ねじ部１８内に嵌合させる。
【００４８】
そして、第２の半部１２を第１の半部１１に被せ、掛止片４３を掛止位置に回して第１の半部１１に第２の半部１２を結合させる。
しかる後、図８（Ｂ）に示すように、締付キャップ８の外側キャップ本体５１と内側キャップ本体５２とにそれぞれ第１のケーブル３または第２のケーブル４を通す。そして、外側キャップ本体５１の中に内側キャップ本体５２を嵌合させて締付キャップ８を作り、図８（Ｃ）に示すように、この締付キャップ８を防水カバー本体６の雄ねじ部１８に螺着させる。締付キャップ８は、防水カバー本体６の両端部にそれぞれ螺着される。
【００４９】
このように締付キャップ８を防水カバー本体６に螺着させると、防水カバー本体６の複数の押圧片２１が締付キャップ８のテーパ面６４に接触する。この状態で締付キャップ８を雄ねじ部１８に締め込むことによって、押圧片２１が第１のシール部２２を押し、第１のシール部２２が第１のケーブル３または第２のケーブル４に密着する。
【００５０】
このように第１のシール部２２が第１のケーブル３または第２のケーブル４に密着することにより、第１、第２のケーブル３，４が防水カバー本体６に固定され、第１、第２のケーブル３，４が防水カバー本体６を貫通する部分がシールされる。また、押圧片２１は、第１のシール部２２を防水カバー本体６の他端側へも押す。このため、第１のシール部２２が連結片３２に押し付けられ、これら両者の間がシールされる。すなわち、押圧片２１とテーパ面６４は、締付キャップ８が雄ねじ部１８にねじ込まれることにより第１のシール部２２を径が小さくなる方向に押すとともに防水カバー本体６の他端側に向けて押すクランプ機構を構成している。
【００５１】
また、締付キャップ８が防水カバー本体６に螺着されることにより、防水カバーの第１の半部１１と第２の半部１２とが第２のシール部本体２６，２９の突条３０を圧縮させ、この圧縮分だけ互いに接近する。このため、第１の半部１１の半円筒部１３と第２の半部１２の半円筒部１３との間がシールされる。
すなわち、締付キャップ８が防水カバー本体６の両端部に螺着されて一対の半部１１，１２どうしが互いに結合されることにより、第１のシール部２２が防水カバー本体６の両端部とケーブルとの間をシールするとともに、第２のシール部１５が防水カバー本体６の両端部間において半部１１，１２どうしの間をシールする。
この中継コネクタ用防水カバー１は、これら複数のシール部分によってケーブル中継部２の防水と防塵とを図るものである。
この実施の形態によれば、保護等級がＩＰ６７となるような防水／防塵性能を有する中継コネクタ用防水カバーを提供できる。
【００５２】
この実施の形態による防水カバー本体６と、シール部材７と、締付キャップ８とは、それぞれ第１、第２のケーブル３，４の長手方向とは直交する方向からケーブル中継部２に対して着脱させることができるものである。このため、この中継コネクタ用防水カバー１は、第１、第２のケーブル３，４に接続されている中継コネクタ５であっても使用できるものとなる。
【００５３】
また、締付キャップ８を防水カバー本体６の両端部に螺着させることによって、シール部材７の第１のシール部２２を介して防水カバー本体６で第１、第２のケーブル３，４をクランプすることができる。このため、第１、第２のケーブル３，４が防水カバー本体６に強固に保持される。
さらに、締付キャップ８を防水カバー本体６の両端部に螺着させることによって、シール部材７の第１のシール部２２と第２のシール部１５とが防水カバー本体６の第１の半部１１と第２の半部１２とによって挟まれてシール機能が実現される。
したがって、この実施の形態によれば、コネクタ接続後の施工を可能にし、かつ施工後にケーブルが強固に保持されるとともに高い防水・防塵性能が得られる中継コネクタ用防水カバーを提供することができる。
【００５４】
この実施の形態において、第１のシール部本体２５と第２のシール部本体２６〜２９とが一体に形成される構成を採る場合は、第１のシール部材半部２３と第２のシール部材半部２４を防水カバー本体６の半部に組付ける作業を容易に行うことができる。したがって、この形態を採ることにより、組立を容易に行うことが可能な中継コネクタ用防水カバーを提供することができる。
【００５５】
シール部材７の第１のシール部２２を図４に示すように円筒体によって形成する場合は、第１のシール部２２を第１、第２のケーブル３，４の太さに適合するものと交換することができる。第１のシール部２２の形状は単純な形状であるために、製造コストを低く抑えながら多くの種類のものを形成することができる。
このため、この実施の形態によれば、安価でありながら使用可能なケーブルの種類が多い中継コネクタ用防水カバーを提供することができる。
【００５６】
この実施の形態による防水カバー本体６の一対の第１の半部１１と第２の半部１２は、これらの半部どうしを互いに結合された状態に保持する結合機能を有している。
このため、両半部が中継コネクタ５を挟んだ状態で結合機能によって互いに結合され、防水カバー本体６が一つの組立体として形成される。すなわち、この防水カバー本体６の両端部に締付キャップ８をねじ込むときに、一方の半部が他方の半部から離れることはない。したがって、締付キャップ８を簡単に防水カバー本体６にねじ込むことができるから、組立が容易な中継コネクタ用防水カバーを提供することができる。
【００５７】
この実施の形態による防水カバー本体６の両端部には、締付キャップ８が螺着する雄ねじ部１８と、この雄ねじ部１８から防水カバー本体６の先端側に突出して第１のシール部２２と締付キャップ８との間に位置する複数の押圧片２１とが設けられている。締付キャップ８の内周面には、押圧片２１の先端部に接触するテーパ面６４が形成されている。押圧片２１とテーパ面６４は、締付キャップ８が雄ねじ部１８にねじ込まれることにより第１のシール部２２を径が小さくなる方向に押すとともに防水カバー本体６の他端側に向けて押すクランプ機構を構成している。
【００５８】
このため、締付キャップ８を防水カバー本体６の雄ねじ部１８にねじ込むことによって、押圧片２１が締付キャップ８に押されて第１のシール部２２を径方向の内側と、防水カバー本体６の他端側とに向けて押圧する。すなわち、防水カバー本体６の押圧片２１が第１のシール部２２を押圧することにより防水、防塵効果と、ケーブルを保持する効果とが得られる。したがって、第１のシール部２２を押圧するにあたって専用の部材が不要であるから、部品数が少なく、分解、組立が容易な中継コネクタ用防水カバーを提供することができる。
【００５９】
この実施の形態による締付キャップ８は、外側キャップ本体５１と内側キャップ本体５２とによって形成されている。外側キャップ本体５１は、第１、第２のケーブル３，４を挿通可能な切り欠き５３を有する断面Ｃ字状に形成されている。内側キャップ本体５２は、第１、第２のケーブル３，４を挿通可能な切り欠き５４を有する断面Ｃ字状に形成されかつ外側キャップ本体５１の内部に外側キャップ本体５１に対して回転することがないように嵌合されている。
外側キャップ本体５１の切り欠き５３と、内側キャップ本体５２の切り欠き５４とは、締付キャップ８の回転方向において互いに異なる位置に位置付けられている。
【００６０】
このため、締付キャップ８の外側キャップ本体５１と内側キャップ本体５２とがそれぞれケーブルを出し入れ可能に形成されているにもかかわらず、締付キャップ８を防水カバー本体６の両端部に強固にねじ込むことが可能になる。
したがって、防水カバー本体６が二つに分割されているにもかかわらず、中継コネクタ５の防水、防塵効果が高く、しかも、ケーブルを保持する力が大きい中継コネクタ用防水カバーを提供することができる。
【００６１】
上述した実施の形態で示すシール部材７は、防水カバー本体６の第１の半部１１と第２半部１２とに装着して使用するものである。しかし、本発明は、このような限定にとらわれることはない。防水カバー本体６の第１の半部１１および第２の半部１２とシール部材７とは、二色成形やインサート成形などにより一体に形成することができる。
【００６２】
（第２の実施の形態）
防水カバー本体は図９に示すように形成することができる。図９において、図１〜図８によって説明したものと同一もしくは同等の部材については、同一符号を付し詳細な説明を適宜省略する。
図９に示す防水カバー本体６の第１の半部１１は、第２の半部１２に向けて開口する箱状に形成されている。第２の半部１２は、第１の半部１１に向けて開口する箱状に形成されている。これらの第１の半部１１と第２の半部１２を構成する箱の形状は、第１、第２のケーブル３，４の長手方向とは垂直な方向から見て長方形である。
防水カバー本体６をこのように角筒状に形成したとしても、上述した実施の形態を採る場合と同等の効果が得られる。
【００６３】
（第３の実施の形態）
防水カバー本体は図１０に示すように形成することができる。図１０において、図１〜図８によって説明したものと同一もしくは同等の部材については、同一符号を付し詳細な説明を適宜省略する。
図１０に示す防水カバー本体６は、第１の半部１１の一側部と第２の半部１２の一側部とを接続するヒンジ７１を有している。この実施の形態による第１および第２の半部１１，１２とヒンジ７１は、プラスチック材料によって形成されている。この実施の形態によるヒンジ７１は、第１の半部１１と第２の半部１２とに一体成形により一体に形成されている。
【００６４】
第１の半部１１と第２の半部１２は、ヒンジ７１を中心にして開閉可能であり、図１０（Ａ）に示す開いた形態と、図１０（Ｂ）に示す閉じた形態とを採ることができる。この実施の形態による第１の半部１１と第２の半部１２は、図１０（Ｂ）に示すように閉じた形態を採ることによって、ケーブル（図示せず）の長手方向とは直交する方向を挟持方向としてケーブル中継部（図示せず）を挟むことができる。
【００６５】
第１の半部１１におけるヒンジ７１とは反対側の側部には、上述した閉じた形態を維持するために係止片７２が設けられている。この係止片７２は、穴７３を有し、この穴７３に第２の半部１２の突起７４が係入された状態で第１の半部１１と第２の半部１２とを閉じた状態に保持する。
防水カバー本体６をこのようにヒンジ７１を使用する開閉式に形成したとしても、上述した実施の形態を採る場合と同等の効果が得られる。
【００６６】
（第４の実施の形態）
シール部材を締め付けるクランプ機構は、図１１および図１２に示すように構成することができる。図１１および図１２において、図１〜図８によって説明したものと同一もしくは同等の部材については、同一符号を付し詳細な説明を適宜省略する。
【００６７】
図１１に示す防水カバー本体６の第１の半部１１と第２の半部１２は、第１の実施の形態で示した複数の押圧片２１は設けられていない。このため、図１１に示すように、シール部材７の第１のシール部２２が第１および第２の半部１１，１２の雄ねじ部１８より長手方向に突出している。すなわち、第１のシール部２２には、雄ねじ部１８より防水カバー本体６の外側に突出する筒状部７５が形成されている。
【００６８】
この筒状部７５には、緊縛用リング７６が嵌合される。この緊縛用リング７６は、締付キャップ８のテーパ面６４（図１参照）と協働してクランプ構造を構成するものである。この実施の形態によるテーパ面６４は、緊縛用リング７６の外周部に接触するように締付キャップ８の内周部に形成されている。
【００６９】
緊縛用リング７６は、可撓性を有するプラスチック材料によって所定の形状に形成されている。
この緊縛用リング７６は、周方向に並ぶ複数の押圧部７７と、これらの複数の押圧部７７からなる環体を周方向の１箇所で分断する分断部７８とを有している。複数の押圧部７７は、分断部７８を除く範囲で互いに結合されている。
【００７０】
押圧部７７は、ケーブル３，４の長手方向に延びるとともに周方向の一方に向けて傾斜する第１の押圧片７９と、ケーブル３，４の長手方向に延びるとともに周方向の他方に向けて傾斜する第２の押圧片８０とからなるＶ字状に形成されている。押圧部７７における防水カバー本体６とは反対側の端部には、締付キャップ８のテーパ面６４に接触する傾斜面７６ａが形成されている。
【００７１】
このように構成された緊縛用リング７６がシール部材７の筒状部７５に嵌合された状態で締付キャップ８が雄ねじ部１６にねじ込まれることによって、緊縛用リング７６の径が小さくなり、シール部材７の第１のシール部２２がケーブル３，４に押し付けられて密着するとともに防水カバー本体６の他端側に向けて押される。すなわち押圧部７７とテーパ面６４は、締付キャップ８が雄ねじ部１８にねじ込まれることにより第１のシール部２２を径が小さくなる方向に押すとともに防水カバー本体６の他端側に向けて押すクランプ機構を構成している。
したがって、この実施の形態によれば、締付キャップ８に加えた力を緊縛用リング７６によって効率よくシール部材７に伝えることができるから、締付キャップ８を締め込む力が小さくてよいにもかかわらず高いシール性が得られる。
【００７２】
（第５の実施の形態）
シール部材を締め付けるクランプ機構は、図１３〜図１５に示すように構成することができる。図１３〜図１５において、図１〜図８によって説明したものと同一もしくは同等の部材については、同一符号を付し詳細な説明を適宜省略する。
【００７３】
図１３に示す防水カバー本体６の第１の半部１１と第２の半部１２は、第１の実施の形態で示した複数の押圧片２１は設けられていない。
この実施の形態によるシール部材７の第１のシール部２２は、防水カバー本体６の雄ねじ部１８より防水カバー本体６の外側に突出する筒状部２２ａを有している。この筒状部２２ａには、ケーブル３，４の長手方向に並ぶ二つの環状突起８１，８２が一体に形成されている。これらの環状突起８１，８２は、筒状部２２ａの外周部に周方向へ途切れることなく一連に延びるように形成されている。これらの環状突起８１，８２は、締付キャップ８のテーパ面６４（図１５参照）と協働してクランプ構造を構成するものである。テーパ面６４は、二つの環状突起８１，８２のうちシール部材７の先端側に位置する第１の環状突起８１の外周部に接触するように、締付キャップ８の内周部に形成されている。
【００７４】
二つの環状突起８１，８２のうち、他方の第２の環状突起８２は、防水カバー本体６の雄ねじ部１８の先端面と対向するように形成されている。
この実施の形態によれば、締付キャップ８が雄ねじ部１８にねじ込まれることによって、二つの環状突起８１，８２がテーパ面６４と雄ねじ部１６との間に挟まれるとともに、第１の環状突起８１が径方向の内側に向けて押圧される。この結果、図１５（Ｂ）に示すように、二つの環状突起８１，８２の間に位置する小径部８３が径方向の内側に弾性変形する。このように小径部８３が弾性変形することにより、ケーブル３，４を防水カバー本体６に固定することができ、しかも、防水カバー本体６のケーブル貫通部をシールすることができる。すなわち、環状突起８１，８２とテーパ面６４は、締付キャップ８が雄ねじ部１８にねじ込まれることにより第１のシール部２２を径が小さくなる方向に押すとともに防水カバー本体６の他端側に向けて押すクランプ機構を構成している。
【００７５】
この実施の形態による中継コネクタ用防水カバーは、専らシール部材７の筒状部２２ａを押圧するための部材（第１の実施の形態で示した押圧片２１や第４の実施の形態で示した緊縛用リング７６）を使用する場合と較べて、構造が簡単になる。また、この実施の形態によれば、環状突起８１の周方向の全域が締付キャップ８のテーパ面６４によって直接押圧され、シール部材７の筒状部２２ａとケーブル３，４との接触部の面圧が周方向の全域にわたって略均等になるから、シールをより確実に行うことができるという利点もある。
この実施の形態によるシール部材７は、第１の環状突起８１と第２の環状突起８２とを備えている。しかし、本発明は、このような限定にとらわれることはなく、シール部材７に第１の環状突起８１のみを設けて構成することができる。
【符号の説明】
【００７６】
１…中継コネクタ用防水カバー、２…ケーブル中継部、３…第１のケーブル、４…第２のケーブル、５…中継コネクタ、６…防水カバー本体、７…シール部材、８…締付キャップ、１１…第１の半部、１２…第２の半部、１５…第２のシール部、１８…雄ねじ部、２１…押圧片、２２…第１のシール部、２２ａ…筒状部、２５…第１のシール部本体、２６〜２９…第２のシール部本体、３１…スリット、４１…突起、４２…凹部、４３…掛止片、４５…突条、５１…外側キャップ本体、５２…内側キャップ本体、５３，５４…切り欠き、６４…テーパ面、７１…ヒンジ、７５…筒状部、７６…緊縛用リング、７７…押圧部、８１…第１の環状突起、８２…第２の環状突起。
【図１】
0006433723.tif 000002
【図２】
0006433723.tif 000003
【図３】
0006433723.tif 000004
【図４】
0006433723.tif 000005
【図５】
0006433723.tif 000006
【図６】
0006433723.tif 000007
【図７】
0006433723.tif 000008
【図８】
0006433723.tif 000009
【図９】
0006433723.tif 000010
【図１０】
0006433723.tif 000011
【図１１】
0006433723.tif 000012
【図１２】
0006433723.tif 000013
【図１３】
0006433723.tif 000014
【図１４】
0006433723.tif 000015
【図１５】
0006433723.tif 000016